(57)【要約】【課題】  開封後には内容物である食品を安定した状態で収容しておくことができる容器として使用可能な食品包装体を提供する。【解決手段】  矩形状の表側フィルム１と裏側フィルム２とを有し、この裏側フィルム２の下部に横長長方形状のフイルム片３が折り返し状に重ね合わしていてこの折り返し下端部を下端封止部４とし、且つ、このフィルム片３の両側端部端縁を裏側フィルム２の両側端縁に封止５、５することにより内ポケット形状の食品収容底部９に形成していると共に、上記表側フィルム１の下部と両側端縁を上記フィルム片３の上端部と裏側フィルムの両側端縁にそれぞれ剥離可能にヒートシールすることによって表側フィルム１の下端部を剥離用つまみ部７にした偏平な包装袋Ａに形成してあり、この包装袋Ａの上端開口部を上記下端封止４に対して直交するように封止して四面体形状の包装体A'に形成している。【選択図】    図６
2017226441.tif 000002
【特許請求の範囲】
【請求項１】
矩形状の裏側フィルムと、この裏側フィルムの下部に重ね合わせられ、下端を裏側フイルムの下端に一体に連設していてその連設部を下端封止部に形成していると共に両側端縁を裏側フィルムの下部両側端縁にヒートシールされて両側封止部に形成され、この両側封止部と上記下端封止部とを支点として裏側フィルムの下部から立ち上げ可能に形成している横長長方形状のフィルム片と、下部が全幅に亘ってこの横長長方形状のフィルム片の上端縁に剥離可能にヒートシールされていると共にこのヒートシール部から下方に突出している下端部を剥離用つまみ片に形成してあり，且つ、上記ヒートシール部の両側端から上端までの両側端縁を上記裏側フィルムの両側端縁に剥離可能にヒートシールしている矩形状の表側フィルムとを備えた上端が開口している偏平袋からなり、この偏平袋の上端開口部の対向する辺が上端開口部の両側端部同士を突き合わせ状に合わせてヒートシールされて上記下端封止部に直交するように上端封止部とした四面体形状の包装体に形成していることを特徴とする食品包装体。
【請求項２】
裏側フィルムと同じ幅を有し、且つ、この裏側フィルムの長さと上記横長長方形状のフィルム片の縦方向の長さとの和に長さを有する矩形状のフィルムの下部を折り返すことによって裏側フィルムと、この裏側フィルムの下部上に折り重ねた横長長方形状のフィルム片とを形成していることを特徴とする請求項１に記載の食品包装体。
【発明の詳細な説明】
【技術分野】
【０００１】
本発明は、枝豆などのつまみや菓子類などの食品を密封状態で包装する包装体、特に、開封後には内容物である食品の容器となってそのまま供食を可能にし得る食品包装体に関する。
【背景技術】
【０００２】
従来から、枝豆やピーナツなどのつまみや菓子類などの食品を密封状態で包装する包装体としては、偏平な袋が広く採用され、この袋内に食品を収容したのち、袋の開口端をヒートシールによって密閉し、スーパーマーケットやコンビニエンスストア等の店頭で販売されているが、このような包装袋では，内容物である食品を食するには、開封したのちに包装袋内に手を入れて食品をつまみ出すか、或いは、食品を皿等の容器内に移し替える必要がある。
【０００３】
このような問題点を解消する包装体として、例えば、特許文献１に記載されているように、開封後には皿等の別な容器に移し替えをすることなく、そのまま内容物である食品の容器として使用することができる包装体が開発された。
【０００４】
具体的には、この包装体は、フィルム材又はシート材（以下、フィルム材とする）からなる矩形状の表裏フィルムを重ねあわせて下端縁辺同士を折り返し状に封止し、且つ、この下端封止部の両側角部をヒートシールにより一体に融着することによって補強部に形成していると共に、両側縁辺部同士をヒートシールにより剥離可能な封止部に形成してなる矩形状の偏平袋内に食品を収容したのち、この偏平袋の上端開口部の両側端部を互いに突き合わせ状に接合させて裏側フィルムの上端両側部の内面同士及び表側フィルムの上端両側部の内面同士を互いに接合させた状態にしてその上端開口部を下端縁辺部に対して直交するように封止してなり、この上端封止部を一辺とする三角形状の両側面部と、上記下端封止部を一辺とする三角形状の表裏面部とからなる四面体形状に形成されている。
【０００５】
このように構成した包装体の上端封止の中央、即ち、上記突き合わせ状に接合している部分にはＶ字状の切欠部が設けられてあり、この切欠部から上記剥離可能な両側封止部を引き裂くように表裏フィルムを互いに離間する方向に開封することによって、内容物をそのまま収容している舟形形状の容器に展開、形成するようにしている。
【先行技術文献】
【特許文献】
【０００６】
【特許文献１】特許第３９９７２５１号公報
【発明の概要】
【発明が解決しようとする課題】
【０００７】
しかしながら、上記包装体によれば、剥離可能な両側封止部から表裏フィルムを展開して舟形形状の容器に形成すると、舟底の中央部となるこの容器の長さ方向の中央部は、表裏フィルムの下端縁辺同士を封止してなる下端封止部を展開した部分によって形成され、この部分の両側端には舟底の両側端から立ち上がった縁に相当する壁などは設けられていないために、収容している食品がこの容器の中央部から外部に漏れ出るといった問題点が生じることになる。また、このような食品の漏れは包装体を開封した際においても発生する。
【０００８】
このため、上記包装体においては、上記下端封止部の両側角部にヒートシールによる補強部を形成しておき、表裏フィルムを上記両側封止部から剥離しながらこの補強部の上端を支点として互いに相反する方向に展開することによって、長さ方向の中央部における両側端に上記補強部の長さに相当する高さの壁部（縁）を有する舟形形状の容器を形成するように構成しているが、表裏フィルムは上記補強部の上端を支点として展開されるので、補強部の長さが長くなると、表裏フィルムはこの補強部の上端から下方に向かって逆Ｖ字状に折り返されると共に両側補強部間の下端封止部が上方に向かって凸状に湾曲変形し、舟形形状となるように展開させることができなくなる。
【０００９】
一方、上記補強部の長さが短くなると、この補強部の上端から下方に向かって折り返された部分が低くなって内容物の漏れ出しを抑止するとができなくなるばかりでなく、安定した舟形形状の容器を形成することかできないといった問題点があった。
【００１０】
本発明はこのような問題点に鑑みてなされたもので、その目的とするところは、内部に収容している食品の漏れを生じさせることなく開封することができると共に開封後においても食品が漏れだす虞れもなく、且つ、食卓等の上に安定した状態で載置しておくことができる食品包装体を提供するにある。
【課題を解決するための手段】
【００１１】
上記目的を達成するために、本発明の食品包装体は、請求項１に記載したように、矩形状の裏側フィルムと、この裏側フィルムの下部に重ね合わせられ、下端を裏側フイルムの下端に一体に連設していてその連設部を下端封止部に形成していると共に両側端縁を裏側フィルムの下部両側端縁にヒートシールされて両側封止部に形成され、この両側封止部と上記下端封止部とを支点として裏側フィルムの下部から立ち上げ可能に形成している横長長方形状のフィルム片と、下部が全幅に亘ってこの横長長方形状のフィルム片の上端縁に剥離可能にヒートシールされていると共にこのヒートシール部から下方に突出している下端部を剥離用つまみ片に形成してあり，且つ、上記ヒートシール部の両側端から上端までの両側端縁を上記裏側フィルムの両側端縁に剥離可能にヒートシールしている矩形状の表側フィルムとを備えた上端が開口している偏平袋からなり、この偏平袋の上端開口部の対向する辺が上端開口部の両側端部同士を突き合わせ状に合わせてヒートシールされて上記下端封止部に直交するように上端封止部とした四面体形状の包装体に形成していることを特徴とする。
【００１２】
このように構成した食品包装体において、請求項２に係る発明は、上記裏側フィルムと同じ幅を有し、且つ、この裏側フィルムの長さと上記横長長方形状のフィルム片の縦方向の長さとの和に長さを有する矩形状のフィルムの下部を折り返すことによって裏側フィルムと、この裏側フィルムの下部上に折り重ねた横長長方形状のフィルム片とを形成していることを特徴とする。
【発明の効果】
【００１３】
請求項１に係る発明によれば、食品を収納して包装体とする包装袋は、矩形状の裏側フィルムの下部に横長長方形状のフィルムを重ね合わせて裏側フィルムの下端と横長長方形状のフィルム片の下端との連設部を下端封止部に形成していると共に横長長方形状のフィルムの両側端縁を裏側フィルムの下部両側端縁にヒートシールして両側封止部に形成しているので、裏側フィルムの下部に重ね合わせてその下端と両側端縁とを下端封止部と両側封止部によって裏側フィルムの下端と下部における両側端縁部に一体に連設している横長長方形状のフィルムによって、裏側フィルムの下部に上端が開口した内ポケット形状の収容底部を形成することができる。
【００１４】
さらに、上記裏側フィルムに矩形状の表側フィルムを重ね合わせてその下部を上記横長長方形状のフィルム片の上端縁に剥離可能にヒートシールしていると共にこの下部ヒートシール部から下方に突出している下端部を剥離用つまみ片に形成し、且つ、下部ヒートシール部の両側端から上端までの両側端縁を上記裏側フィルムの両側端縁に剥離可能にヒートシールしてなるものであるから、この包装袋に食品を収納する際に、その上端開口部を拡開すると、上記内ポケット形状の収容底部を形成している横長長方形状のフィルム部が、このフィルム部の上端縁に下部をヒートシールにより一体に接続している表側フィルムによって下端封止部を支点として裏側フィルムから離間し、裏側フィルムとこの横長長方形状のフィルム片との対向面間によって形成されている上記内ポケット状の収容底部が拡開してこの収容底部内から包装袋内の上端部にまで食品を収容することができる。
【００１５】
本発明の食品包装体は、上記のように食品を収容した偏平袋の上端開口部の対向する辺を、上端開口部の両側端部同士を突き合わせ状に合わせて上記下端封止部に直交するように封止してなり、この上端封止部を一辺とする三角形状の両側面部と、上記下端封止部を一辺とする三角形状の表裏面部とからなる四面体形状に形成されているので、開封する際に、表側フィルムを上向きにすると、下向きになった裏側フィルムの三角形状の裏面部と、この三角形状の裏面部の両側端縁から上方に起立している上記両側面部の下半部である裏側フィルムの三角形状の両側側面部と、この両側側面部の封止端と、裏側フィルムの三角形状の裏面部の一辺を形成している上記下端封止部から裏面部に対して立ち上がり状に開いている横長長方形状のフィルム片とによって内部に食品を収納した容器を形成することができ、この容器の上向き開口部が表側フィルムによって密閉された形態にすることができる。
【００１６】
この状態にして表側フィルムをその端部の剥離用つまみ片を摘んで剥離、開封すると、裏側フィルムと横長長方形状のフィルム片とによって形成されている上記食品を収納した容器を簡単に開口することができる。
【００１７】
この際、容器は上記のように、裏側フィルムの三角形状の裏面部を底面部とし、この底面部の一辺から立ち上がっている横長長方形状のフィルム片と、底面部の他の二辺から立ち上がり、上記底面部の一辺側の両端部においては上記横長長方形状のフィルム片と一体に連なっている一方、底面部の一片側と反対側においては互いに端縁部同士を上下方向にして一体に封止している上記裏側フィルムの両側部とによって容器の周壁部を形成しているので、開封時は勿論、開封後においても食品が不測に外部に漏れ出す虞れがなく、上記周壁部によって囲まれた容器内に確実に収容しておくことができると共に、容器内からの食品の取り出しも円滑を行え、また、裏側フィルムの三角形状の裏面部によって容器の底面部を形成しているので、食卓等の上に安定した状態で載置しておくことができる。
【００１８】
また、請求項２に係る発明によれば、上記裏側フィルムと同じ幅を有し、且つ、この裏側フィルムの長さと上記横長長方形状のフィルム片の縦方向の長さとの和に長さを有する矩形状のフィルムの下部を折り返すことによって裏側フィルムと、この裏側フィルムの下部上に折り重ねた横長長方形状のフィルム片とを形成しているので、下部に横長長方形状のフィルム片を折り重ねている上記裏側フィルムと、矩形状の表側フィルムとの２枚のフィルムによって、食品を収容した包装体を得ることができる上記包装袋を正確に且つ能率よく製造することができ、多量生産に適し、安価に提供することができる。
【図面の簡単な説明】
【００１９】
【図１】本発明食品包装体を形成するための包装袋の一部切欠平面図。
【図２】その縦断側面図。
【図３】包装袋の分解斜視図。
【図４】上端開口部を開口させた状態の包装袋の斜視図。
【図５】その中央縦断側面図。
【図６】包装体の斜視図。
【図７】包装体を開封している状態の斜視図。
【図８】開封することによって容器とした状態の斜視図。
【図９】その中央縦断側面。
【発明を実施するための形態】
【００２０】
本発明の具体的な実施例を図面について説明すると、食品包装体を形成するための包装袋は、図１〜図３に示すように、矩形状の表側フィルム１と、幅がこの表側フィルム１と同一幅を有し、長さがこの表側フィルム１の長さよりも長い裏側フィルム２と、この裏側フィルム２の表面側の下部上に重ね合わせられ、その下端が裏側フィルム２の下端に折り返し状に一体に連設していてその連設部を下端封止部４に形成していると共に両側端縁を裏側フィルム２の下部両側端縁にヒートシールして両側封止部５、５に形成している横長長方形状のフィルム片３とを備えている。
【００２１】
そして、上記表側フィルム１は裏側フィルム２の表面上に互いの上端縁を引き揃え状にして重ね合わせられていて、この表側フィルム１における下端から上方に小間隔存した下部を全幅に亘って上記横長長方形状のフィルム片３の表面側の上端縁辺に剥離可能にヒートシールされていると共にこのヒートシール部６から下方に突出している下端部を剥離用つまみ片７に形成してあり、且つ、表側フィルム１における上記ヒートシール部６の両側端から上端までの両側端縁を上記裏側フィルム２の両側端縁にヒートシールすることによって剥離可能な両側ヒートシール部８、８を設けてなる上端が開口した偏平な包装袋Ａを形成している。なお、上記表裏フィルム１、２および横長長方形状のフィルム片３は、ポリプロピレン、ポリエチレン等の樹脂フィルムから形成されている。
【００２２】
上記横長長方形状のフィルム片３は、裏側フィルム２と別体の横長長方形状のフィルム片を裏側フィルム２の下部表面に重ね合わせてその下端と両側端縁とを裏側フィルム２の下端と両側端縁とにそれぞれヒートシールして上記下端封止部４と両側封止部５、５とを形成してもよいが、上記実施例においては、裏側フィルム１と同じ幅を有し、且つ、この裏側フィルム１の長さと上記横長長方形状のフィルム片３の縦方向の長さとの和に等しい長さを有する矩形状のフィルムの下部を折り返して、裏側フィルム２とこの裏側フィルム２の下部表面に折り返した横長長方形状のフィルム片３とを形成している。この場合、下端封止部４は、折り返し部によって形成されている。
【００２３】
このように、裏側フィルム２の下部上に横長長方形状のフィルム片３を重ね合わせてその下端と両側端部とを裏側フィルム２の下端と両側端縁とに下端封止部４と両側封止部５、５とによって一体に接続させているので、裏側フィルム２の下部表面と横長長方形状のフィルム片４の裏面との間に、上端が開口した内ポケット形状の収容底部９が形成されている。
【００２４】
上記のように形成した偏平な包装袋Ａ内につまみや菓子類等の食品Ｂを収容してその上端開口部を封止することによって図６に示すような四面体形状（テトラ状）の包装体A'を作成している。
【００２５】
この包装体A'の構成を具体的に説明すると、まず、包装袋Ａ内に食品Ｂを収容するには図４に示すように、表裏フィルム１、２からなる包装袋Ａの上端開口部を拡開させる。この時、裏側フィルム２の下部に下端封止部４を介して折り返し状に重ね合わされ、その両側端部を裏側フィルム２の下部における両側端縁に両側封止部５、５に接続している上記横長長方形状のフィルム片３は、その表面側の上端に表側フィルム１の裏面下部をヒートシール部６によって接続させているので、表裏フィルム１、２を互いに離間する方向に包装袋Ａを拡げると、横長長方形状のフィルム片３は、包装袋Ａ内の底部において、図５に示すように、下端封止部４を支点として表側フィルム１側に拡げられて収容底部９の開口端が拡開する。
【００２６】
この状態にして食品Ｂを包装袋Ａの上記収容底部９内から上端部内にまで投入して収容し、しかるのち、包装袋Ａの上端開口部の両側端部を互いに突き合わせ状に接合させると共に、この接合によってその幅方向の中央部から互いに離間する方向に湾曲する表側フィルム１の上端両側部の内面同士と裏側フィルム２の上端両側部の内面同士をそれぞれ接合させた状態にして、その接合上端部をヒートシールすることにより包装袋Ａの上端開口部を上記下端封止部４に直交する上端封止部10に形成してあり、図６に示すように、内部に食品Ｂを収納した包装袋Ａを、この上端封止部10を一辺とする三角形状の両側面部A1、A1と、上記下端封止部４を一辺とする三角形状の表裏面部A2、A3とからなる四面体形状の包装体A'に形成している。
【００２７】
このように作成された包装体A'を開封するには、包装体A'に形成した包装袋Ａの裏側フィルム２側を下向きにして食卓等に載置して表側フィルム１を上向きにした状態にする。  
【００２８】
この状態にすると、包装体A'内に収容されている食品Ｂは、裏側フィルム２の上記三角形状の裏面部A3と、この三角形状の裏面部A3の両側端縁から上方に起立している上記両側面部A1、A1の下半部を形成している三角形状の両側側面部A11 、A11 と、これらの両側側面部A11 、A11 を腹合わせ状に一体に接合している上記封止部10の下半部10a と、上記三角形状の裏面部A3の一辺である上記下端封止部４から立ち上がっている横長長方形状のフィルム片３とによって形成された容器A'' 内に収容された状態となる。
【００２９】
容器A'' は、上記裏側フィルム２の上記三角形状の裏面部A3を底部とし、この底部一辺から底部上に向かって内側に傾斜した状態で立ち上がっている上記横長長方形状のフィルム片３と、底部の他の二辺から底部上に向かって内側に傾斜した状態で立ち上がっている上記三角形状の両側側面部A11 、A11 とによって平面三角形状の周壁部とした三角形状の容器に形成されていると共に、この容器A'' の開口端縁部を形成している上記底部から立ち上がった上記両側側面部A11 、A11 の上端縁辺と横長長方形状のフィルム片３の上端部とに上記表側フィルム１が上記ヒートシール部６、８、８によって剥離可能に密着してあり、この表側フィルム１によって上記容器A'' の蓋体を形成している。
【００３０】
そして、この表側フィルム１における上記横長長方形状のフィルム片３の上端縁辺とのヒートシール部６から突設している剥離用つまみ片７を摘んで図７に示すように、表側フィルム１を容器A'' の上記両側側面部A11 、A11 の上端縁辺に沿って上記ヒートシール部６、８、８から剥離すると、図８、図９に示すように、容器A'' の上端開口部が全面的に開口する。この際、容器A'' 内に収容している食品Ｂは、容器A'' の底部周辺（３辺）から立ち上がって上記横長長方形状のフィルム片３と上記三角形状の両側側面部A11 、A11とによって形成された周壁によって容器A'' 内から外部に飛び出したり漏れだすのを阻止され、容器A'' 内に安定した状態で確実に保持させておくことができる。
【符号の説明】
【００３１】
１  表側フィルム
２  裏側フィルム
３  横長長方形状のフィルム片
４  下端封止部
５、５  両側封止部
６  ヒートシール部
７  剥離用つまみ片
８、８  両側ヒートシール部
９  収容底部
Ａ  包装袋
A'  包装体
A'' 容器
Ｂ  食品
【図１】
2017226441.tif 000003
【図２】
2017226441.tif 000004
【図３】
2017226441.tif 000005
【図４】
2017226441.tif 000006
【図５】
2017226441.tif 000007
【図６】
2017226441.tif 000008
【図７】
2017226441.tif 000009
【図８】
2017226441.tif 000010
【図９】
2017226441.tif 000011